(57)【特許請求の範囲】
【請求項１】
ＡＴＭネットワークに接続され、通信を行うべき１組の情報端末のそれぞれを収容した多重化装置で、通信すべきユーザデータに加えて、前記１組の情報端末間で送受信されるべき該ユーザデータの供給にかかわる制御線情報を示す信号（以下では制御線信号と略称する）をセル化して一方から他方へ伝送することを特徴とする制御線信号セル化方法であって、
前記セルのペイロード中に、前記ユーザデータを格納するユーザデータ領域と、前記制御線信号を格納する第１の制御線信号領域及び第２の制御線信号領域とを確保し、
前記制御線信号のうちＲＳ／ＣＤ信号を他方へ伝達する場合は、当該ＲＳ／ＣＤ信号を予め定められた間隔でラッチし、
前記制御線信号のうちＣＳ信号、ＥＲ／ＤＲ信号、ＣＩ信号を他方へ伝達する場合は、前記ＲＳ／ＣＤ信号をラッチする前記間隔より長い間隔で、当該制御信号のそれぞれをラッチし、
ラッチした前記ＲＳ／ＣＤ信号を、当該ラッチした数分多重して前記第１の制御線信号領域に格納すると共に、ラッチした前記ＣＳ信号、ＥＲ／ＤＲ信号、ＣＩ信号のそれぞれを、当該ラッチした数分多重して前記第２の制御線信号領域に格納し、さらに受信したユーザデータを前記ユーザデータ領域に格納しセル化して、一方から他方へ伝送する
ことを特徴とする制御線信号セル化方法。
【請求項２】
ＡＴＭネットワークに接続され、通信を行うべき１組の情報端末のそれぞれを収容し、前記情報端末の通信すべきユーザデータに加えて、前記１組の情報端末間で送受信されるべき該ユーザデータの供給にかかわる制御線情報を示す信号（以下では制御線信号と略称する）をセル化して一方から他方へ伝送する多重化装置であって、
前記セルのペイロード中に、前記ユーザデータを格納するユーザデータ領域と、前記制御線信号を格納する第１の制御線信号領域及び第２の制御線信号領域とを確保し、
前記制御線信号のうちＲＳ／ＣＤ信号を他方へ伝達する場合は、当該ＲＳ／ＣＤ信号を予め定められた間隔でラッチし、前記制御線信号のうちＣＳ信号、ＥＲ／ＤＲ信号、ＣＩ信号を他方へ伝達する場合は、前記ＲＳ／ＣＤ信号をラッチする前記間隔より長い間隔で当該制御信号のそれぞれをラッチするデータラッチ手段と、
前記データラッチ手段でラッチされた前記ＲＳ／ＣＤ信号を、当該ラッチされ数分多重して前記第１の制御線信号領域に格納すると共に、前記データラッチ手段でラッチされた前記ＣＳ信号、ＥＲ／ＤＲ信号、ＣＩ信号のそれぞれを、当該ラッチされた数分多重して前記第２の制御線信号領域に格納し、さらに受信したユーザデータを前記ユーザデータ領域に格納しセル化するセル化手段と、
を備えていることを特徴とする多重化装置。
【発明の詳細な説明】
【０００１】
【発明の属する技術分野】
本発明は、ＡＴＭネットワークに係わり、特に、ユーザデータに加えてデータ通信装置間の制御線情報を示す信号（制御線信号）をＡＴＭ網を介して伝送させるための、制御線信号セル化方法およびその装置に関する。
【０００２】
【従来の技術】
従来のＡＴＭネットワークにおいて、データ通信装置間でのデータ伝送は常時固定モード（全二重通信）で運用がされていた。これは、データ通信装置間の制御線情報をＡＴＭ Ｈｅａｄｅｒに多重するためのスロットが用意されていないためである。
【０００３】
【発明が解決しようとする課題】
しかし、上記の従来技術ではデータ通信装置間の制御線情報の伝送ができないために、半二重通信で制御線信号を送受信することでデータの提供サービスを実施していたオンライン端末をＡＴＭネットワークに組み込むことが困難となっていた。
【０００４】
本発明は上記のような点を鑑みてなされたものであり、その目的とするところは、ＡＴＭネットワークにおいて、ユーザデータの伝送に加えて、各データ通信装置での処理に利用される制御線信号をデータ通信装置間で伝送させることを可能とするＡＴＭネットワークにおける制御線信号セル化方法と、該制御線信号セル化方法を実現する該ＡＴＭネットワークを構成する多重化装置を提供することにある。
【０００５】
また、本発明の他の目的は、上記制御線信号セル化方法及び多重化装置において、上記伝送される制御線信号のうちＲＳ／ＣＤ信号に関しては、頭切れ、尻切れをなくすためにユーザデータとの保証をとることを可能とする手段を提供することにある。
【０００６】
【課題を解決するための手段】
上記目的を達成するために本発明は、ＡＴＭネットワークに接続され、通信を行うべき１組の情報端末のそれぞれを収容した多重化装置で、通信すべきユーザデータに加えて、前記１組の情報端末間で送受信されるべき該ユーザデータの供給にかかわる制御線情報を示す信号（以下では制御線信号と略称する）をセル化して一方から他方へ伝送することを特徴とする制御線信号セル化方法であって、
前記セルのペイロード中に、前記ユーザデータを格納するユーザデータ領域と、前記制御線信号を格納する第１の制御線信号領域及び第２の制御線信号領域とを確保し、
前記制御線信号のうちＲＳ／ＣＤ信号を他方へ伝達する場合は、当該ＲＳ／ＣＤ信号を予め定められた間隔でラッチし、前記制御線信号のうちＣＳ信号、ＥＲ／ＤＲ信号、ＣＩ信号を他方へ伝達する場合は、前記ＲＳ／ＣＤ信号をラッチする前記間隔より長い間隔で当該制御線信号をラッチし、ラッチした前記ＲＳ／ＣＤ信号を、当該ラッチした数分多重して前記第１の制御線信号領域に格納すると共に、ラッチした前記ＣＳ信号、ＥＲ／ＤＲ信号、ＣＩ信号のそれぞれを、当該ラッチした数分多重して前記第２の制御線信号領域に格納し、さらに受信したユーザデータを前記ユーザデータ領域に格納しセル化して、一方から他方へ伝送することを特徴とする。
【０００７】
ここで、前記制御線信号をセル化する際には、送信すべきセルのペイロードの中の一部を制御線信号伝送用としてマッピングを行い、送信側で多重化し、受信側で分離生成することが好ましい。また、前記制御線信号のうちＲＳ／ＣＤ信号を多重する際には、ＲＳ／ＣＤ信号を予め定めた期間だけ延長して多重させることが好ましい。
【０００８】
また、前記１組の情報端末と接続される多重化装置での選択可能な動作モードとして、前記制御線信号セル化を行い制御線信号を伝送するための制御線伝送モードと、全二重通信を行うための常時固定モードとを備える構成としてもよい。
【０００９】
また、上記目的を達成するために本発明は、ＡＴＭネットワークに接続され、通信を行うべき１組の情報端末のそれぞれを収容し、前記情報端末の通信すべきユーザデータに加えて、前記１組の情報端末間で送受信されるべき該ユーザデータの供給にかかわる制御線情報を示す信号（以下では制御線信号と略称する）をセル化して一方から他方へ伝送する多重化装置であって、
前記セルのペイロード中に、前記ユーザデータを格納するユーザデータ領域と、前記制御線信号を格納する第１の制御線信号領域及び第２の制御線信号領域とを確保し、前記制御線信号のうちＲＳ／ＣＤ信号を他方へ伝達する場合は、当該ＲＳ／ＣＤ信号を予め定められた間隔でラッチし、前記制御線信号のうちＣＳ信号、ＥＲ／ＤＲ信号、ＣＩ信号を他方へ伝達する場合は、前記ＲＳ／ＣＤ信号をラッチする前記間隔より長い間隔で当該制御線信号のそれぞれをラッチするデータラッチ手段と、前記データラッチ手段でラッチされた前記ＲＳ／ＣＤ信号を、当該ラッチされた数分多重して前記第１の制御線信号領域に格納すると共に、前記データラッチ手段でラッチされた前記ＣＳ信号、ＥＲ／ＤＲ信号、ＣＩ信号のそれぞれを、当該ラッチされた数分多重して前記第２の制御線信号領域に格納し、さらに受信したユーザデータを前記ユーザデータ領域に格納しセル化するセル化手段と、を備えていることを特徴とする。
【００１０】
【発明の実施の形態】
本発明を適用したＡＴＭネットワークの一実施形態を説明する。
【００１１】
本実施形態におけるＡＴＭネットワーク構成例を図１に示す。本例のＡＴＭネットワークでは、Ａビル（１０１）内のＸ．２１／Ｖ．２４／Ｖ．３５のいずれかを有するデータ通信装置Ａ（１０２）とデータ通信装置Ｄ（１０３）そしてデータ通信装置Ｅ（１０４）、Ｂビル（１０７）内のＸ．２１／Ｖ．２４／Ｖ．３５のいずれかを有するデータ通信装置Ｂ（１０９）と、そして、Ｃビル（１１０）内のＸ．２１／Ｖ．２４／Ｖ．３５のいずれかを有するデータ通信装置Ｃ（１１４）に接続されているモデム（１１２、１１３）とＤＣＥ（Data Circuit Terminating Equipment)としての機能を有するデータ通信装置Ｆ（１１５）が、本発明にて提案している機能を有する多重化装置Ａ（１０５）、多重化装置Ｂ（１０８）、多重化装置Ｃ（１１１）に接続されている。
【００１２】
本例では、図１の点線で示されているように、Ａビル（１０１）内の多重化装置Ａ（１０５）のデータ通信装置Ａ（１０２）とＢビル（１０７）内の多重化装置Ｂ（１０８）のデータ通信装置Ｂ（１０９）が、そしてＡビル（１０１）内の多重化装置Ａ（１０５）のデータ通信装置Ｄ（１０３）とＣビル（１１０）内の多重化装置Ｃ（１１１）のデータ通信装置Ｃ（１１４）が、そしてＡビル（１０１）内の多重化装置Ａ（１０５）のデータ通信装置Ｅ（１０４）とＣビル（１１０）内の多重化装置Ｃ（１１１）のデータ通信装置Ｆ（１１５）が、ＡＴＭ網（１０６）を介して各々通信している。
【００１３】
データ通信装置（２０１）同士を通信させるために必要な信号線（２０２）を図２に示す。信号線（２０２）としては、ＳＤ、ＲＤ、ＳＴ１、ＲＴ、ＳＴ２、ＲＳ、ＣＳ、ＣＤ、ＥＲ、ＤＲ、ＣＩ等がある。
【００１４】
ＳＤ（Ｓｅｎｄ Ｄａｔａ）は、端末から送信されるデータである。
【００１５】
ＲＤ（Ｒｅｃｅｉｖｅ Ｄａｔａ）は、端末へ送信するデータである。
【００１６】
ＳＴ１（Ｓｉｇｎａｌ Ｔｉｍｉｎｇ １）は、端末からのデータ信号受信エレメントタイミングである。
【００１７】
ＳＴ２（Ｓｉｇｎａｌ Ｔｉｍｉｎｇ ２）は、端末のデータ送信用エレメントタイミングである。
【００１８】
ＲＴ（Ｒｅｃｅｉｖｅ Ｔｉｍｉｎｇ）は、端末のデータ受信用エレメントタイミングである。
【００１９】
ＲＳ（Ｒｅｑｕｅｓｔ ｔｏ Ｓｅｎｄ）は、ＤＣＥへ出力するデータがあることを示す。
【００２０】
ＣＳ（Ｃｌｅａｒ ｔｏ Ｓｅｎｄ）は、ＤＣＥが通信回線へのデータ送信が可能であることを示す。
【００２１】
ＣＤ（Ｃａｒｒｉｅｒ Ｄｅｔｅｃｔ）は、ＤＣＥが通信回線から有効な信号を受信していることを示す。
【００２２】
ＥＲ（Ｅｑｕｉｐｍｅｎｔ Ｒｅａｄｙ）は、ＤＴＥ(Data Terminal Equipment)がＤＣＥに対し、データの入出力ができることを示す。
【００２３】
ＤＲ（Ｄａｔａｓｅｔ Ｒｅａｄｙ）は、ＤＣＥが動作できることを示す。
【００２４】
ＣＩ（Ｃａｌｌ Ｉｎｄｉｃａｔｅ）は、ＤＣＥが通信回線から呼び出されているときを示す。
【００２５】
本実施形態における多重化装置において、ユーザデータ信号の他にセルに多重している主な制御線信号は、ＲＳ、ＣＳ、ＣＤ、ＥＲ、ＤＲ、ＣＩである。
【００２６】
多重する信号には、モード（図１に示すＤＣＥ、ＤＴＥ）により方向がある。例えば、図３に示すようにＤＣＥモードのときは、データ通信装置Ａ（１０２）とデータ通信装置Ｂ（１０９）とデータ通信装置Ｄ（１０３）、そしてデータ通信装置Ｅ（１０４）の接続構成となる。ＤＴＥモードのときは、データ通信装置Ｃ（１１４）とデータ通信装置Ｆ（１１５）の接続構成となる。
【００２７】
各ビルの制御線信号の伝送形態の一例を図３に示す。なお、図３では、データ通信装置間を接続しているＡＴＭ網（１０６）は省略されている。
【００２８】
ＤＣＥモードからＤＣＥモードへの制御線信号伝送の場合を、データ通信装置Ａ（１０２）とデータ通信装置Ｂ（１０９）を例に説明する。
【００２９】
制御線信号ＲＳ、ＥＲは、多重化装置Ａ（１０５）から中継網（不図示）を介して、多重化装置Ｂ（１０８）へ伝送され、ＲＳはＣＤとなり、また、ＥＲはＤＲとして、データ通信装置Ｂ（１０９）へ伝送される。
【００３０】
ＤＴＥモードとＤＣＥモードの場合を、データ通信装置Ｅ（１０４）とデータ通信装置Ｆ（１１５）を例に説明する。
【００３１】
データ通信装置Ｅ（１０４）からの制御線信号ＲＳ、ＥＲは、多重化装置Ａ（１０５）から中継網（不図示）を介して、多重化装置Ｃ（１１１）へ伝送され、ＲＳはＲＳとして、また、ＥＲはＥＲとして、データ通信装置Ｆ（１１５）へ伝送される。また、データ通信装置Ｆ（１１５）からのＣＳ、ＣＤ、ＤＲ、そしてＣＩは、多重化装置Ｃ（１１１）から中継網（不図示）を介して、多重化装置Ａ（１０５）へ伝送され、ＣＳはＣＳとして、ＣＤはＣＤとして、ＤＲはＤＲとして、そしてＣＩはＣＩとして、データ通信装置Ｅ（１０４）へ伝送される。
【００３２】
データ通信装置Ｄ（１０３）とデータ通信装置Ｃ（１１４）との間で行われるＤＣＥモードとＤＴＥモードとの伝送も、多重化装置Ｃ（１１１）とデータ通信装置Ｃ（１１４）との間にモデム１１２、１１３が使用されているが、上述したデータ通信装置Ｅ（１０４）とデータ通信装置Ｆ（１１５）の場合と同様に行われる。
【００３３】
本実施形態で使用するセルフォーマットの一例を図４に示す。
【００３４】
本例のセルフォーマットにおいて、ＴＴＣ標準のＡＴＭ Ｈｅａｄｅｒに加えて、ペイロード中にＵｓｅｒ Ｄａｔａ領域と、制御線信号を伝送するための制御線信号伝送領域と、ＳＮ（シーケンス番号フィールド）及びＳＮＰ（シーケンス番号保護フィールド）とが設けられている。
【００３５】
ＡＴＭ Ｈｅａｄｅｒには、ＧＦC（一般的フロー制御）、ＶＰＩ（仮想パス識別子）、ＶＣＩ（仮想チャンネル識別子）、ＰＴＩ（ペイロードタイプ識別子）、ＣＬＰ（セル損失優先表示）、および、ＨＥＣ（ヘッダ誤り制御）が含まれている。
【００３６】
ペイロード領域には、ＳＮ（シーケンス番号フィールド）と、ＳＮP（シーケンス番号保護フィールド）と、制御線信号１及び制御線信号２を含む制御線信号伝送領域と、Ｕｓｅｒ Ｄａｔａ領域とが含まれている。本例では、制御線信号１としてＲＳ／ＣＤ信号、制御線信号２としてＣＳ、ＥＲ／ＤＲ、ＣＩ信号が多重されるものとしている。
【００３７】
本例のセルフォーマットを採用することにより、図１で説明すると、本セルを多重化装置Ａ（１０５）、多重化装置Ｂ（１０８）、多重化装置Ｃ（１１１）、ＡＴＭ網（１０６）を介すことにより、データ通信装置Ａ（１０２）とデータ通信装置Ｂ（１０９）、データ通信装置Ｄ（１０３）とデータ通信装置Ｃ（１１４）、そしてデータ通信装置Ｅ（１０４）とデータ通信装置Ｆ（１１５）の通信および制御線信号の伝送を可能としている。
【００３８】
本実施形態において制御線信号の伝送を可能にするための制御線信号の多重フォーマットの例を図５、６に示す。
【００３９】
上記図４に示したセルフォーマットの制御線信号１となる、ＲＳ／ＣＤ信号の多重フォーマット（５０１）の一例を図５に示す。例えば、ＲＳ信号は端末速度の４５ｂｉｔ間隔でラッチされ、セルに多重される。１セルに対し、８ｂｉｔを多重している。
【００４０】
上記図４に示したセルフォーマットの制御線信号２となる、ＣＳ信号、ＥＲ／ＤＲ信号、ＣＩ信号の多重フォーマット（６０１）の一例を図６に示す。例えば、ＣＳ信号は端末速度の９０ｂｉｔ間隔でラッチされ、セルに多重される。ＣＳ信号は、１セルに対し、４ｂｉｔを多重している。ＥＲ信号とＣＩ信号は、端末速度の１８０ｂｉｔ間隔でラッチされ、セルに多重される。ＥＲ信号とＣＩ信号は、１セルに対し、２ｂｉｔを多重している。
【００４１】
次に、多重化装置における多重部のブロック構成例、および、該多重部における各信号のラッチタイミングの一例を、図７を参照して説明する。
【００４２】
本例の多重化装置（７０２）は、例えば図７に示すように、ルート選択部（７０３）と、ラッチ部（７０４）と、Ｓ／Ｐセル化部（７０５）と、セル多重部（７０６）とを備える。本例では、多重化装置（７０２）がＤＣＥ／ＤＴＥモードとして運用しているものとする。
【００４３】
本例の多重化装置（７０２）において、データ通信装置（７０１）から入力された制御線信号ＲＳ、ＣＤ、ＣＳ、ＥＲ、ＤＲ、ＣＩは、ルート選択部（７０３）にてその時点でのＤＣＥモードまたはＤＴＥモードに対応するルートが選択され、ＲＳ／ＣＤ、ＣＳ、ＥＲ／ＤＲ、ＣＩ信号として出力される。また、入力されたデータ信号は、Ｓ／Ｐセル化部（７０５）で８ｂｉｔ単位でシリアル／パラレル変換される。
【００４４】
ルート選択部（７０３）から出力されたＲＳ／ＣＤ、ＣＳ、ＥＲ／ＤＲ、ＣＩ信号は、ラッチ部（７０４）において、それぞれ図７に示すような、ＲＳ／ＣＤラッチタイミング（端末速度の４５ｂｉｔ間隔）、ＣＳラッチタイミング（端末速度の９０ｂｉｔ間隔）、ＥＲ／ＤＲ／ＣＩラッチタイミング（端末速度の１８０ｂｉｔ間隔）でラッチされる。
【００４５】
さらに、ラッチ部（７０４）から出力されたＲＳ／ＣＤ、ＣＳ、ＥＲ／ＤＲ、ＣＩ信号は、セル多重部（７０６）において、所定のセル化タイミングにより、上記図５、図６で示す位置に多重され、Ｓ／Ｐセル化部（７０５）から出力されたデータ信号と共にセル化される。
【００４６】
図５、図６に示すラッチタイミング番号には、図７のラッチタイミング番号でラッチした時の情報を多重している。
【００４７】
さらに本実施形態では、データ信号と制御線信号のデータとの保証をとるために、ＲＳ／ＣＤ信号多重処理において、データ信号に対してＲＳ／ＣＤ信号を遅延している。具体的には、ＲＳ／ＣＤ信号を１ラッチタイミングの４５ｂｉｔ分だけ増加して多重する構成としている。図７中の斜線部分（７０７）は、このデータ信号保証のためにＲＳ／ＣＤ信号増加分を示す。
【００４８】
このような構成によれば、制御線信号のうちＲＳ信号、ＣＤ信号についてはユーザデータとの保証をとることができるため、データの頭切れや尻切れをなくすことができる。
【００４９】
次に、多重化装置における分離部のブロック構成例を、図８を参照して説明する。
【００５０】
本例の多重化装置（８０２）は、例えば図８に示すように、セル分離部（８０６）と、信号生成部（８０４）と、Ｐ／Ｓ部（８０５）と、ルート選択部（８０３）とを備える。
【００５１】
本例の多重化装置において、ＡＴＭ網を介して伝送され入力されたセルは、セル分離部（８０６）にてデータ信号と制御線信号とに分離される。
【００５２】
データ信号は、Ｐ／Ｓ部（８０５）でパラレル／シリアル変換され、シリアルデータとなり、ルート選択部（８０３）にてＤＣＥモードまたはＤＴＥモードルートとなり、データ通信装置（８０１）へ出力される。
【００５３】
分離された制御線信号は、ＲＳ／ＣＤ、ＣＳ、ＥＲ／ＤＲ、ＣＩ信号となり、信号生成部（８０４）で、セル内部のデータ信号を基準にして、ＲＳ／ＣＤ信号は、端末速度の４５ｂｉｔ間隔で、ＣＳ信号は、端末速度の９０ｂｉｔ間隔で、ＥＲ／ＤＲ／ＣＩ信号は、端末速度の１８０ｂｉｔ間隔で信号生成される。そして、ルート選択部（８０３）にてＤＣＥモードまたはＤＴＥモードルートとなり、データ通信装置（８０１）へ出力される。
【００５４】
なお、本実施形態ではＡＴＭネットワークにおいて制御線信号の伝送を可能にするための構成を備えた多重化装置について説明したが、本発明では、上記制御線信号の伝送機能を必要に応じてオフさせるための手段を備えた構成としてもよい。
【００５５】
例えば、図９に示すセレクタ（９０１）を設け、制御線情報を示す信号である制御線信号伝送信号と、全二重通信での運用を行うかどうかをオンオフ等で示す信号である常時固定信号とをセレクタ（９０１）へ入力し、制御線信号伝送モードおよび常時固定モードのうちいずれかを選択するためのルート選択信号により、入力された制御線信号を出力すべきかどうかを切り替える構成とする。
【００５６】
また、図１０に示すように、図７、図８に示された多重部機能、分離部機能をそれぞれ多重部（１００２）、分離部（１００３）として備えた多重化装置（１０００）の内部に、図９に示すセレクタ（９０１）と同様な機能を有するセレクタ（１００１ａ、１００１ｂ）と、セレクタ（１００１ａ、１００１ｂ）の選択動作を設定するモード設定部（１００４）とを設ける構成としてもよい。
【００５７】
本例の多重化装置（１０００）によれば、モード設定部（１００４）で制御線信号伝送信号が選択された場合、データ通信装置（２０１）から出力される制御線信号及びユーザデータ信号（１２００）はセレクタ（１００１ａ）を介してそのまま多重部（１００２）へ送られ、分離部（１００３）から出力された制御線信号及びユーザデータ信号はセレクタ（１００１ｂ）を介してデータ通信装置（２０１）へ出力される。一方、常時固定信号が選択された場合には、制御線信号の伝送は行われず、ユーザデータ信号のみが多重部（１００２）へ送られ、分離部（１００３）からはユーザデータ信号だけが出力される。
【００５８】
【発明の効果】
本発明によれば、従来のＡＴＭネットワークシステムで用いられていなかった制御線信号の伝送を可能とする制御線信号セル化方法および多重化装置を提供することができる。
【００５９】
さらに、本発明によれば、上記伝送される制御線信号のうちＲＳ／ＣＤ信号に関しては、頭切れ、尻切れをなくすためにユーザデータとの保証をとることを可能とする手段を提供することができる。
【図面の簡単な説明】
【図１】本発明を適用したＡＴＭネットワーク構成の一例を示すブロック図。
【図２】データ通信装置間を通信するために必要な信号線を示す説明図。
【図３】制御線信号の伝送形態の一例を示す説明図。
【図４】本発明で使用しているセルフォーマットの一例を示す説明図。
【図５】図４の制御線信号１の多重フォーマットの一例を示す説明図。
【図６】図４の制御線信号２の多重フォーマットの一例を示す説明図。
【図７】本発明を構成する制御線信号多重機能を実現する多重化装置のブロック構成を示す説明図。
【図８】本発明を構成する制御線信号分離生成機能を実現する多重化装置のブロック構成例を示すブロック図。
【図９】本発明を構成する制御線信号伝送モードと常時固定モードの切り替えを行うセレクタの一例を示す説明図。
【図１０】本発明による多重化装置の他の構成例を示す説明図。
【符号の説明】
１０１：Ａビル、１０２：データ通信装置Ａ、１０３：データ通信装置Ｄ、１０４：データ通信装置Ｅ、１０５：多重化装置Ａ、１０６：ＡＴＭ網、１０７：Ｂビル、１０８：多重化装置Ｂ、１０９：データ通信装置Ｂ、１１０：Ｃビル、１１１：多重化装置Ｃ、１１２：モデム（中継側）、１１３：モデム（端末側）、１１４：データ通信装置Ｃ、１１５：データ通信装置Ｆ、２０１：データ通信装置、２０２：データ通信装置と多重化装置間の信号線、２０３：多重化装置、３０１：Ａビル、３０２：多重化装置Ａ、３０３：データ通信装置Ａ、３０４：データ通信装置Ｄ、３０５：データ通信装置Ｅ、３０６：Ｂビル、３０７：多重化装置Ｂ、３０８：データ通信装置Ｂ、３０９：Ｃビル、３１０：多重化装置Ｃ、３１１：モデム（中継側）、３１２：モデム（端末側）、３１３：データ通信装置Ｃ、３１４：データ通信装置Ｆ、４０１：セルフォーマット、５０１：制御線信号１の多重フォーマット、６０１：制御線信号２の多重フォーマット、７０１：データ通信装置、７０２：多重化装置、７０３：ルート選択部、７０４：ラッチ部、７０５：Ｓ／Ｐセル化部、７０６：セル多重部、７０７：ＲＳ／ＣＤ信号増加分、８０１：データ通信装置、８０２：多重化装置、８０３：ルート選択部、８０４：信号生成部、８０５：Ｐ／Ｓ部、８０６：セル分離部、９０１：セレクタ。
【図１】
0003923209.tif 000002
【図２】
0003923209.tif 000003
【図３】
0003923209.tif 000004
【図４】
0003923209.tif 000005
【図５】
0003923209.tif 000006
【図６】
0003923209.tif 000007
【図７】
0003923209.tif 000008
【図８】
0003923209.tif 000009
【図９】
0003923209.tif 000010
【図１０】
0003923209.tif 000011